(57)【特許請求の範囲】
【請求項１】
携帯電話装置に上下方向の振動量が通話中のユーザにより加えられたことをトリガとして、チャネルサーチを開始するように制御する制御手段と、
前記携帯電話装置に加えられた振動量を検出する加速度センサとを含み、
前記制御手段は、
前記加速度センサが検出した振動量と、予め設定された第３の閾値とを比較し、該振動量が該第３の閾値以上である場合に、前記チャネルサーチとして、予め設定されている通話チャネルの電界レベル測定を開始することを特徴とする携帯電話装置。
【請求項２】
前記制御手段は、
前記電界レベル測定を行った通話チャネルのうち最も電界レベルの高い通話チャネルの電界レベルと、現状の通話チャネルの電界レベルとを比較し、該最も電界レベルの高い通話チャネルの電界レベルが該現状の通話チャネルの電界レベルより大きい場合に、通話チャネル切替要求を送出することを特徴とする請求項１記載の携帯電話装置。
【請求項３】
前記制御手段は、
前記最も電界レベルの高い通話チャネルの電界レベルが前記現状の通話チャネルの電界レベル以下の場合、現状の通話チャネルの通信を保持することを特徴とする請求項２記載の携帯電話装置。
【請求項４】
前記制御手段は、
前記送出した通話チャネル切替要求が通信網側で受け付けられた場合は、通話チャネルの切替を実施することを特徴とする請求項２又は３記載の携帯電話装置。
【請求項５】
携帯電話装置に上下方向の振動量が加えられたことをトリガとして、チャネルサーチを開始する携帯電話装置のチャネルサーチ方法であって、
前記携帯電話装置に通話中のユーザにより加えられた振動量を検出するステップと、
加速度センサが検出した前記振動量と、予め設定された第３の閾値とを比較するステップと、
該振動量が該第３の閾値以上である場合に、前記チャネルサーチとして、予め設定されている通話チャネルの電界レベル測定を開始するステップと、
を有することを特徴とする携帯電話装置のチャネルサーチ方法。
【請求項６】
前記電界レベル測定を行った通話チャネルのうち最も電界レベルの高い通話チャネルの電界レベルと、現状の通話チャネルの電界レベルとを比較するステップと、
該最も電界レベルの高い通話チャネルの電界レベルが該現状の通話チャネルの電界レベルより大きい場合に、通話チャネル切替要求を送出するステップと、
を有することを特徴とする請求項５記載の携帯電話装置のチャネルサーチ方法。
【請求項７】
前記最も電界レベルの高い通話チャネルの電界レベルが前記現状の通話チャネルの電界レベル以下の場合、現状の通話チャネルの通信を保持するステップを有することを特徴とする請求項６記載の携帯電話装置のチャネルサーチ方法。
【請求項８】
前記送出した通話チャネル切替要求が通信網側で受け付けられた場合は、通話チャネルの切替を実施するステップを有することを特徴とする請求項６又は７記載の携帯電話装置のチャネルサーチ方法。
【請求項９】
携帯電話装置に上下方向の振動量が加えられたことをトリガとして、チャネルサーチを開始する処理をコンピュータに実行させるプログラムであって、
前記携帯電話装置に通話中のユーザにより加えられた振動量を検出する処理と、
加速度センサが検出した前記振動量と、予め設定された第３の閾値とを比較する処理と、
該振動量が該第３の閾値以上である場合に、前記チャネルサーチとして、予め設定されている通話チャネルの電界レベル測定を開始する処理と、
をコンピュータに実行させることを特徴とするプログラム。
【請求項１０】
前記電界レベル測定を行った通話チャネルのうち最も電界レベルの高い通話チャネルの電界レベルと、現状の通話チャネルの電界レベルとを比較する処理と、
該最も電界レベルの高い通話チャネルの電界レベルが該現状の通話チャネルの電界レベルより大きい場合に、通話チャネル切替要求を送出する処理と、
をコンピュータに実行させることを特徴とする請求項９記載のプログラム。
【請求項１１】
前記最も電界レベルの高い通話チャネルの電界レベルが前記現状の通話チャネルの電界レベル以下の場合、現状の通話チャネルの通信を保持する処理をコンピュータに実行させることを特徴とする請求項１０記載のプログラム。
【請求項１２】
前記送出した通話チャネル切替要求が通信網側で受け付けられた場合は、通話チャネルの切替を実施する処理をコンピュータに実行させることを特徴とする請求項１０又は１１記載のプログラム。
【発明の詳細な説明】
【技術分野】
【０００１】
本発明は、携帯電話装置、そのチャネルサーチ方法及びプログラムに関する。
【背景技術】
【０００２】
携帯電話装置における圏外待受けを含めた待受け動作については、消費電流低減のため、決められた周期でしか周辺チャネルのレベル測定が起動されず、最適なチャネルで待受けできていない場合がある。この問題の対策として、ユーザ自身が手動で操作することにより圏外復帰を促すためのチャネルサーチボタンが存在する（例えば、特許文献１参照）。
【特許文献１】特開２０００−３３３２４２号公報
【発明の開示】
【発明が解決しようとする課題】
【０００３】
上記チャネルサーチボタンを備えた携帯電話装置の構成を図６に示す。図６に示すように、携帯電話装置１にはチャネルサーチボタン７が実装されている。ユーザは、圏外待受けや待受け感度が悪いと感じた時に、このチャネルサーチボタン７を押下するなど、手動で操作する。このユーザ操作をトリガとして、チャネルサーチは起動する。しかしながら、図６に示す構成の携帯電話装置１では、圏外復帰もしくは最適なチャネルで待受けする為には、ユーザが意識してチャネルサーチボタン７を押下しなければならず、操作性の点で煩わしさがあった。
【０００４】
本発明は、上記事情に鑑みてなされたものであり、ユーザがチャネルサーチボタンを操作することなくチャネルサーチを起動でき、圏外復帰もしくは最適なチャネルで待受けすることができる携帯電話装置、そのチャネルサーチ方法及びプログラムを提供することを目的とする。
【課題を解決するための手段】
【０００５】
かかる目的を達成するために、本願発明に係る携帯電話装置は、携帯電話装置に上下方向の振動量が通話中のユーザにより加えられたことをトリガとして、チャネルサーチを開始するように制御する制御手段と、携帯電話装置に加えられた振動量を検出する加速度センサとを含み、加速度センサが検出した振動量と予め設定された第３の閾値とを比較し、振動量が第３の閾値以上である場合に、チャネルサーチとして予め設定されている通話チャネルの電界レベル測定を開始することを特徴とする。
【０００６】
本願発明に係る携帯電話装置のチャネルサーチ方法は、携帯電話装置に上下方向の振動量が加えられたことをトリガとして、チャネルサーチを開始する携帯電話装置のチャネルサーチ方法であって、携帯電話装置に通話中のユーザにより加えられた振動量を検出するステップと、加速度センサが検出した振動量と予め設定された第３の閾値とを比較するステップと、振動量が第３の閾値以上である場合に、チャネルサーチとして予め設定されている通話チャネルの電界レベル測定を開始するステップと、を有する。
【０００７】
本願発明に係るプログラムは、携帯電話装置に上下方向の振動量が加えられたことをトリガとして、チャネルサーチを開始する処理をコンピュータに実行させるプログラムであって、携帯電話装置に通話中のユーザにより加えられた振動量を検出する処理と、加速度センサが検出した振動量と予め設定された第３の閾値とを比較する処理と、振動量が第３の閾値以上である場合に、チャネルサーチとして予め設定されている通話チャネルの電界レベル測定を開始する処理と、をコンピュータに実行させることを特徴とする。
【発明の効果】
【００３２】
本発明によれば、圏外待受けや待受け感度が悪いと感じた時に、ユーザは直感的に携帯電話装置を振るという行為のみでチャネルサーチを起動でき、圏外復帰もしくは最適なチャネルで待受けすることが可能となる。
【発明を実施するための最良の形態】
【００３３】
以下、本発明を実施するための最良の形態について添付図面を参照して詳細に説明する。
【００３４】
本発明の一実施形態ある携帯電話装置の構成を図１に示す。
携帯電話装置１は、基地局と通信を行うための送受信アンテナ２及び無線部３、アンテナバー表示等の電界レベル表示を行う表示部４、携帯電話装置１全体の制御を行う制御部５、携帯電話装置１の振動動作を検出する加速度センサ６、を有して構成される。
【００３５】
以上のように構成された携帯電話装置１の動作例として、実施例１及び実施例２をそれぞれ以下に説明する。携帯電話装置１において、携帯電話装置１にチャネルサーチを実行させるためのプログラム（以下、単に「プログラム」という）が、所定の記録媒体（記憶媒体）からや所定の通信（有線・無線）により制御部５に読み込まれ、制御部５の動作を制御する。制御部５は、このプログラムの制御により、以下の実施例１及び実施例２の動作を実行する。
【実施例１】
【００３６】
本発明の実施例１として、圏外待受け中における動作について、図３のフローチャートを参照して説明する。
携帯電話装置１が圏外待受け状態の場合、表示部４に、現在の電界レベルを示すアンテナバーの代わりに「圏外」などの文字を表示する（ステップＳ１）。
【００３７】
ユーザは、図２に示すように、携帯電話装置１を上下に振り、携帯電話装置１に内蔵されている加速度センサ６に振動を伝える（ステップＳ２）。
【００３８】
加速度センサ６に伝えられた振動量が、制御部５に予め設定されている閾値（第１の閾値）を越えているか否かを判定する（ステップＳ３）。振動量が閾値以上である場合（ステップＳ３／ＹＥＳ）、ステップＳ４へ移行する。振動量が閾値より小さい場合は（ステップＳ３／ＮＯ）、現状チャネルの待受けを保持する（ステップＳ１へ戻る）。
【００３９】
制御部５に予め設定されている待受けチャネルのテーブル、もしくは通信網より指定されている待受けチャネルの電界レベル測定を開始する（ステップＳ４）。
【００４０】
制御部５に予め設定されている圏内閾値（第２の閾値）と、電界レベル測定した待受けチャネルのうち最も電界レベルの高い待受けチャネル（サーチチャネル）の電界レベルとを比較する（ステップＳ５）。サーチチャネルの電界レベルが圏内閾値より大きい場合（ステップＳ５／ＹＥＳ）、ステップＳ６へ移行する。サーチチャネルの電界レベルが圏内閾値以下の場合（ステップＳ５／ＮＯ）、現状チャネルの待受けを保持する（ステップＳ１へ戻る）。
【００４１】
位置登録要求を送出する（ステップＳ６）。
【００４２】
位置登録の可否は通信網側で判断される（ステップＳ７）。位置登録が受け付けられた場合は（ステップＳ７／ＯＫ）、ステップＳ８へ移行する。位置登録が受け付けられなかった場合は（ステップＳ７／ＮＧ）、ステップＳ６に戻り、電界レベルの高い順に位置登録要求を上げる。
【００４３】
表示部４の圏外表示をＯＦＦにし、アンテナバー等により現在の電界レベルを表示する（ステップＳ８）。
【００４４】
以上説明したように、本発明の携帯電話装置によれば、携帯電話装置に設けた加速度センサによりユーザが携帯電話装置を上下に振る振動動作を検知し、制御部は、この振動動作をトリガにしてチャネルサーチ機能を開始する。従って、圏外待受けや待受け感度が悪いとユーザが感じた場合、従来のようにユーザが意識してチャネルサーチボタンを押下する必要が無く、ユーザは直感的に携帯電話装置を上下に振るという行為のみでチャネルサーチを起動できるので、操作の面で煩わしさを感じることなく、簡単に圏外復帰もしくは最適なチャネルで待受けすることができるという効果がある。
【実施例２】
【００４５】
本発明の実施例２として、通話中における動作について、図４のフローチャート及び図５の通話エリアの概念図を参照して説明する。
携帯電話装置１が、図５のエリアＡ８内にて通信中に通話品質が劣化したとする（ステップＳ１１）。
【００４６】
ユーザは、図２に示すように、携帯電話装置１を上下に振り、携帯電話装置１に内蔵されている加速度センサ６に振動を伝える（ステップＳ１２）。
【００４７】
加速度センサ６に伝えられた振動量が、制御部５に予め設定されている閾値（第３の閾値）を越えているか否かを判定する（ステップＳ１３）。振動量が閾値以上である場合（ステップＳ１３／ＹＥＳ）、ステップＳ４へ移行する。振動量が閾値より小さい場合は（ステップＳ１３／ＮＯ）、現状の通話チャネルの通信を保持する（ステップＳ１１へ戻る）。
【００４８】
制御部５に設定されている通話チャネルのテーブル、もしくは通信網より指定されている通話チャネルの電界レベル測定を開始する（ステップＳ１４）。
【００４９】
現状の通話チャネルの電界レベルと、電界レベル測定した通話チャネルのうち最も電界レベルの高い通話チャネル（サーチチャネル）の電界レベルとを比較する（ステップＳ１５）。サーチチャネルの電界レベルが現状の通話チャネルの電界レベルより大きい場合（ステップＳ１５／ＹＥＳ）、ステップＳ１６へ移行する。サーチチャネルの電界レベルが現状の通話チャネルの電界レベル以下の場合（ステップＳ１５／ＮＯ）、現状の通話チャネルの通信を保持する（ステップＳ１１へ戻る）。
【００５０】
通話チャネルの切替要求を通信網側に送出する（ステップＳ１６）。例として、図５のエリアＢ９を要求する。
【００５１】
通話チャネルの切替可否は通信網側で判断される（ステップＳ１７）。通話チャネルの切替の許可が下りた場合（ステップＳ１７／ＯＫ）、ステップＳ１８へ移行する。通話チャネルの切替が非許可の場合は（ステップＳ１７／ＮＧ）、ステップＳ１６へ戻り、順次レベルの高い順に切替要求を上げる。
【００５２】
通話チャネルの切替を実施する（ステップＳ１８）。例として、図５のエリアＢ９に切替する。
【００５３】
通話品質改善に至る（ステップＳ１９）。
【００５４】
以上説明したように、本発明の携帯電話装置によれば、携帯電話装置に設けた加速度センサによりユーザが携帯電話装置を上下に振る振動動作を検知し、制御部は、この振動動作をトリガにしてチャネルサーチ機能を開始する。従って、通話中に通信品質が悪いとユーザが感じた場合、従来のようにユーザが意識してチャネルサーチボタンを押下する必要が無く、ユーザは直感的に携帯電話装置を上下に振るという行為のみでチャネルサーチを起動できるので、操作の面で煩わしさを感じることなく、通話中でも簡単に最適なチャネルに切り替えて通信品質を改善することができるという効果がある。
【００５５】
以上、本発明の実施形態及び実施例について説明したが、上記実施形態及び実施例に限定されるものではなく、その要旨を逸脱しない範囲において種々の変形が可能である。
【００５６】
例えば、上述した実施例１，２における制御動作は、ハードウェア、または、ソフトウェア、あるいは、両者の複合構成によって実行することも可能である。
【００５７】
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。
【００５８】
例えば、プログラムは、記録媒体としてのハードディスクやＲＯＭ（Read Only Memory）に予め記録しておくことが可能である。
【００５９】
あるいは、プログラムは、フロッピー（登録商標）ディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的、あるいは、永続的に格納（記録）しておくことが可能である。
【００６０】
このようなリムーバブル記録媒体は、いわゆるパッケージソフトウエアとして提供することが可能である。
【００６１】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送したりし、コンピュータでは、転送されてきたプログラムを受信し、内蔵するハードディスク等の記録媒体にインストールすることが可能である。
【００６２】
また、上記実施例で説明した処理動作に従って時系列的に実行されるのみならず、処理を実行する装置の処理能力、あるいは、必要に応じて並列的にあるいは個別に実行するように構築することも可能である。
【産業上の利用可能性】
【００６３】
本発明は、通信のために適切なチャネルをサーチする装置・機器、システム、方法、プログラムに適用できる。
【図面の簡単な説明】
【００６４】
【図１】本発明の携帯電話装置の要部構成を示すブロック図である。
【図２】本発明の携帯電話装置の正面外観を示す図である。
【図３】本発明の携帯電話装置の待受け時における動作例を示すフローチャートである。
【図４】本発明の携帯電話装置の通話時における動作例を示すフローチャートである。
【図５】本発明の携帯電話装置の通話エリアの概念を示す図である。
【図６】従来の携帯電話装置の要部構成を示すブロック図である。
【符号の説明】
【００６５】
１    携帯電話装置
２    送受信アンテナ
３    無線部
４    表示部
５    制御部
６    加速度センサ
７    チャネルサーチボタン
８    エリアＡ
９    エリアＢ
【図１】
0005245308.tif 000002
【図２】
0005245308.tif 000003
【図３】
0005245308.tif 000004
【図４】
0005245308.tif 000005
【図５】
0005245308.tif 000006
【図６】
0005245308.tif 000007